(57)【特許請求の範囲】
【請求項１】
一定速度で記録用紙を搬送し、ラインヘッドにより記録する画像処理装置において、画像を間引いて縮小する第１の処理手段と、ラインヘッドへの画像の転送周期を等倍記録時より縮小率に基づき早くし、走査線間を狭くして縮小記録する第２の処理手段とを備え、記録すべき画像の解像度に基づいて前記第１の処理手段、第２の処理手段のいずれかを選択して縮小記録するようにした画像処理装置。
【発明の詳細な説明】
【０００１】
【発明の属する技術分野】
この発明は、複写機、ファクシミリ装置、複写機能・ファクシミリ機能等多機能を有する複合機の画像処理装置に関する。
【０００２】
【従来の技術】
一般に画像処理装置には、原画像を縮小して記録する機能を有するものがある。従来、この種の画像処理装置での縮小は、図１に示すように、主走査ラインを間引いて記録する方式である。この場合、前提として記録部（プリンタ）の解像度が高く、記録する画像の解像度が低い場合、図２に示すように、記録画像の走査線を複数回プリンタに転送し、記録する。
【０００３】
【発明が解決しようとする課題】
上記した従来の縮小方式は、主走査ラインを間引くものであるから、原画像のいくつかの主走査線が欠落し、縮小により、画質が低下するという問題がある。
【０００４】
この発明は上記問題点に着目してなされたものであって、画質の劣化を生じることなく画像を縮小できる画像処理装置を提供することを目的としている。
【０００５】
【課題を解決するための手段】
この発明の請求項１に係る画像処理装置は、一定速度で記録用紙を搬送し、ラインヘッドにより記録する画像処理装置において、画像を間引いて縮小する第１の処理手段と、ラインヘッドへの画像の転送周期を等倍記録時より縮小率に基づき早くし、走査線間を狭くして縮小記録する第２の処理手段とを備え、記録すべき画像の解像度に基づいて前記第１の処理手段、第２の処理手段のいずれかを選択して縮小記録するようにしている。
【０００６】
この画像処理装置によれば、記録すべき画像の解像度に基づいて第１の処理手段、第２の処理手段のいずれかを選択して縮小記録するものであり、第２の処理手段が選択された場合、縮小によって画質が劣化することはない。
【０００７】
この画像処理装置において、縮小率の変化に対し、ラインヘッドへの転送クロックは一定したものであり、変化させないことが好ましい。
【０００８】
【発明の実施の形態】
以下、実施の形態により、この発明を更に詳細に説明する。図３は、この発明が実施されるファクシミリ装置の構成を示すブロック図である。このファクシミリ装置は画像の縮小機能付きであり、ＣＰＵ（制御部）１、ＮＣＵ２、ＭＯＤＥＭ３、ＲＯＭ４、ＳＲＡＭ５、画像メモリ（ＤＲＡＭ）６、制御部７、ＣＯＤＥＣ（符号化・復号器：Coder and Decoder ）８、ＣＣＤスキャナ９、画像処理部１０、ＳＲＡＭ１１、ゲートアレイ１２、高速ＳＲＡＭ１３、ＬＥＤヘッド１４、ゲートアレイ１５、モータドライバ１６、システムバス１７を備える。
【０００９】
ＣＰＵ１は、この装置を構成する各部を制御する。ＮＣＵ２は、電話回線網（ＰＳＴＮ）１８との接続を制御すると共に、相手先の電話番号（ＦＡＸ番号を含む）に対応したダイヤル信号の送出及び着信を検出するための機能を備えている。ＭＯＤＥＭ３は、ＩＴＵ（国際電気通信連合）−Ｔ勧告Ｔ．３０に従ったファクシミリ伝送制御手順に基づいて、Ｖ．１７、Ｖ．２７ｔｅｒ、Ｖ．２９等に従った送信データの変調及び受信データの復調を行う。或いは、これらに加えてＶ．３４に従った送信データの変調及び受信データの復調を行う。
【００１０】
ＲＯＭ４は、この装置を制御するためのプログラムを記憶する。ＳＲＡＭ５は、データ等を一時的に記憶する。画像メモリ６は、ＮＣＵ２、ＭＯＤＥＭ３を介して受ける受信画データや、ＣＣＤスキャナ９で読み取った画データを一時的に記憶する。操作部７は、ユーザがＦＡＸ送信・受信、プリント等の指示をするためのものである。ＣＯＤＥＣ８は、読み取った画データを送信するためにＭＨ、ＭＲ、ＭＭＲ方式等により符号化（エンコード）し、受信画データを復号（デコード）する。ＣＣＤスキャナ９は、ＦＡＸ送信するときに原稿の画データを読み取る。画像処理部１０は、ＣＣＤスキャナ９で読み取られた原稿を画像処理し、画像メモリ６に記憶させる
ＳＲＡＭ１１は、ＣＯＤＥＣ８で符号化あるいは復号化するデータを格納する。ゲートアレイ１２は、プリントすべき画像データに画像処理を施し、ＬＥＤヘッド１４にプリントすべき画像データに応じた駆動信号を供給する。ＬＥＤヘッド１４は、画像データに応じ、回転する感光ドラム（図示省略）を露光し、プリントする。後述する水平同期信号ＨＳＹＮＣの時間、先端余白、後端余白、縮小率等は、ゲートアレイ１２に予め設定する。縮小処理は、これらの設定に応じてプリント処理時に実施される。
【００１１】
次に、上記実施形態装置において、プリンタ縮小設定処理について、図４に示すフロー図を参照して説明する。このプリンタ縮小設定処理ルーチンに入ると、先ずステップＳＴ１において、縮小倍率より、データ処理の処理余裕時間を算出する。そして、ステップＳＴ２へ移行する。
【００１２】
ステップＳＴ２においては、算出した処理余裕時間より、ラインヘッドの各ラインの転送周期を縮小率に応じて早くしても、１ライン毎の処理が間に合うか否かを判定する。処理が間に合えば、ステップＳＴ３へ移行する。一方、処理が間に合わなければ、ステップＳＴ６へ移行する。
【００１３】
ステップＳＴ３においては、水平同期信号ＨＳＹＮＣの時間を倍率より計算する。例えば、倍率１００％から９０％への縮小の場合は、水平同期信号ＨＳＹＮＣの周期を１００％の時の周期の９０／１００とする。次に、ステップＳＴ４へ移行する。ステップＳＴ４においては、先に計算し水平同期信号ＨＳＹＮＣの時間を基に、先端余白、後端余白等の設定値を計算する。そして、ステップＳＴ５へ移行する。ステップＳＴ５においては、各設定値をゲートアレイ１２にセットする。
【００１４】
このような縮小設定を行ったプリンタでプリント処理を行うと、設定された先端余白を開けた後、縮小率に応じて設定された早い周期の水平同期信号ＨＳＹＮＣで転送を行い、プリントするので、図５に示すような態様で等倍時より走査線の間隔の狭いプリントがなされ、縮小処理される。そして、この場合のプリントは、走査線が間引かれないので、縮小によって画質が劣化することはない。
【００１５】
ステップＳＴ６においては、倍率１００％の水平同期信号ＨＳＹＮＣをゲートアレイ１２にセットする。縮小率に応じて、水平同期信号の周期は変更しない。次に、ステップＳＴ７へ移行する。ステップＳＴ７においては、倍率１００％時の先端余白、後端余白等の設定値をゲートアレイ１２にセットする。この場合、縮小プリントするが、倍率、先端余白、後端余白は１００％時と変えないで設定する。次に、ステップＳＴ８へ移行する。ステップＳＴ８においては、ゲートアレイ１２に縮小率を設定する。そして、プリンタ縮小設定処理を終了する。
【００１６】
ステップＳＴ６〜ステップＳＴ８で実施したプリンタ縮小設定処理で設定した場合の縮小プリンタは、図１に示すように、縮小率に応じて走査線を間引きプリントすることとなる。
【００１７】
画像メモリ６に格納された画像データを縮小プリントする場合には、画像データがＣＯＤＥＣ８、ＳＲＡＭ１１を経て、ゲートアレイ１２へ転送される。ゲートアレイ１２では、上記した設定に応じ、速い水平同期信号ＨＳＹＮＣが設定されている場合は、その周期で走査線をつめて、画像データをＬＥＤヘッド１４に供給して、図５の如くプリントする。逆に、水平同期信号ＨＳＹＮＣが等倍時の周期に設定されている場合には、図１に示す間引き印字を行う。
【００１８】
なお、この実施形態では、転送クロックは一定とし、主走査方向も、縮小率に応じてドットの間引きにより縮小する。
【００１９】
【発明の効果】
請求項１に係る発明によれば、画像を間引いて縮小する第１の処理手段と、ラインヘッドへの画像の転送周期を等倍記録時より縮小率に基づき早くし、走査線間を狭くして縮小記録する第２の処理手段とを備え、記録すべき画像の解像度に基づいて第１の処理手段、第２の処理手段のいずれかを選択して縮小記録するようにしているので、低解像度のデータを縮小プリントする場合は、第２の処理手段を選択して、転送周期を早くして縮小プリントし、画質を劣化させることなく、縮小でき、高解像度のデータを縮小する場合は、縮小率より処理が間に合わない場合は、第１の処理手段により間引きの縮小を行うことで、装置のパフォーマンスに応じて最高画質の縮小画像が得られる。
【図面の簡単な説明】
【図１】走査線の間引きによる縮小を説明する図である。
【図２】同一走査線を繰り返すことによるスムージングを説明する図である。
【図３】この発明の一実施形態であるファクシミリ装置の構成を示すブロック図である。
【図４】同実施形態ファクシミリ装置のプリンタ縮小設定処理を説明するフロー図である。
【図５】同実施形態ファクシミリ装置における転送周期を早くすることによる縮小を説明する図である。
【符号の説明】
１      ＣＰＵ
２      ＮＣＵ
３      ＭＯＤＥＭ
４      ＲＯＭ
５      ＳＲＡＭ
６      画像メモリ
７      操作部
８      ＣＯＤＥＣ
９      ＣＣＤスキャナ
１０    画像処理部
１１    ＳＲＡＭ
１２    ゲートアレイ
１３    高速ＳＲＡＭ
１４    ＬＥＤヘッド
１５    ゲートアレイ
１６    モータドライバ
１７    システムバス
１８    電話回線
【図１】
0003760819.tif 000002
【図２】
0003760819.tif 000003
【図３】
0003760819.tif 000004
【図４】
0003760819.tif 000005
【図５】
0003760819.tif 000006